(57)【要約】【課題】記録媒体が装着されていない場合であっても、折り畳まれた外装体が開け易い情報入力装置を提供する。【解決手段】情報入力装置１は、外装カバー４、検出装置２Ｌ，２Ｒ、接着部２８Ｌ，２８Ｒを備える。外装カバー４は左カバー部４Ｌと右カバー部４Ｒを含む。外装カバー４は、左カバー部４Ｌと右カバー部４Ｒが互いに近接して対向する閉姿勢に変位できる。検出装置２Ｌは左カバー部４Ｌに配置され、検出装置２Ｒは右カバー部４Ｒに配置される。検出装置２Ｌは、表紙５Ｌが配置される配置面２０Ｌを備え、検出装置２Ｒは、表紙５Ｒが配置される配置面２０Ｒを備える。接着部２８Ｌ，２８Ｒは夫々配置面２０Ｌ，２０Ｒに設けられる。接着部２８Ｌ，２８Ｒには夫々表紙５Ｌ，５Ｒが剥離可能に接着される。接着部２８Ｒは、配置面２０Ｒのうち、外装カバー４が閉姿勢に変位した場合に、接着部２８Ｌと対向する領域とは異なる領域に設けられる。【選択図】図１
2016148994.tif 000002
【特許請求の範囲】
【請求項１】
一対の表紙と、前記一対の表紙の間に重ねて配置された複数枚の用紙とが、夫々の端部の一部で綴じられた冊子状の記録媒体上で、筆記具によって入力される情報を取得可能な情報入力装置であって、
夫々が平面を有する一対の平板部と、前記一対の平板部の夫々の一端部を互いに連結する連結部とを有し、前記一対の平板部が夫々前記連結部を中心に回動することで、二つの前記平面が互いに近接して対向する姿勢である閉姿勢と、前記閉姿勢よりも前記二つの平面が互いに離隔する姿勢である開姿勢とに変位する外装体と、
前記二つの平面の一方に設けられた板状体であって、前記一対の表紙の一方が配置される第一配置面が、前記平面と対向する面の反対側に形成され、近接する前記筆記具の位置を検出可能な第一検出装置と、
前記二つの平面の他方に設けられた板状体であって、前記一対の表紙の他方が配置される第二配置面が、前記平面と対向する面の反対側に形成され、近接する前記筆記具の位置を検出可能な第二検出装置と、
前記第一配置面に設けられ、前記一対の表紙の前記一方が剥離可能に接着される第一接着部と、
前記第二配置面のうち、前記外装体が前記閉姿勢に変位した場合に前記第一接着部と対向する領域とは異なる領域に設けられ、前記一対の表紙の前記他方が剥離可能に接着される第二接着部と
を備えたことを特徴とする情報入力装置。
【請求項２】
前記第一配置面及び前記第二配置面のうち、前記外装体が前記閉姿勢に変位した場合において、前記第一接着部及び前記第二接着部の少なくとも一方である特定接着部と対向する所定領域に形成され、前記所定領域と前記特定接着部との接着を制限する制限手段をさらに備えたことを特徴とする請求項１に記載の情報入力装置。
【請求項３】
前記第一接着部及び前記第二接着部の少なくとも一方は、複数であり、
前記制限手段は、前記外装体が前記閉姿勢に変位した場合において前記第一接着部及び前記第二接着部の夫々と対向する位置に形成され、
前記第一接着部及び前記第二接着部は、前記外装体が前記閉姿勢に変位した場合において前記一対の平板部の夫々と略平行な一方向に沿って交互に並ぶ位置に設けられたことを特徴とする請求項２に記載の情報入力装置。
【請求項４】
前記連結部は前記一対の平板部の夫々の前記一端部に沿って延び、
前記一方向は、前記連結部の延設方向と略平行であることを特徴とする請求項３に記載の情報入力装置。
【請求項５】
前記第一接着部及び前記第二接着部は、前記一方向に沿って隙間を空けて交互に並ぶ位置に設けられたことを特徴とする請求項３又は４に記載の情報入力装置。
【請求項６】
前記一対の平板部のうち前記第一検出装置が設けられる平板部である第一平板部の前記一端部とは反対側の他端部と、前記第一平板部の前記一端部及び前記他端部の間で互いに対向する両端部とに接続する接続部と、
前記他端部及び前記両端部の間で、前記第一検出装置の一部を前記第一平板部とは反対側から覆う被覆部と
を有するシート材をさらに備え、
前記第一接着部は、前記シート材から離隔する位置に設けられたことを特徴とする請求項１から５のいずれかに記載の情報入力装置。
【請求項７】
前記第一接着部及び前記第二接着部は、夫々、前記連結部に近接する位置に設けられたことを特徴とする請求項１から６のいずれかに記載の情報入力装置。
【請求項８】
前記制限手段は、前記外装体が前記閉姿勢に変位した場合において前記特定接着部と接触可能な面であって、接触する前記特定接着部の剥離を容易化させる表面処理が施された接触面であることを特徴とする請求項２から７のいずれかに記載の情報入力装置。
【請求項９】
前記表面処理はシボ加工であることを特徴とする請求項８に記載の情報入力装置。
【発明の詳細な説明】
【技術分野】
【０００１】
本発明は、情報入力装置に関する。
【背景技術】
【０００２】
従来、ノート等の記録媒体上で筆記具によって入力される情報を取得可能な情報入力装置が知られている。例えば、特許文献１に開示の情報入力装置は、外装カバー、二つの検出装置、及び二つの接着部を備える。外装カバーは、折曲部、左側ページ、及び右側ページを備える。折曲部は、左側ページ及び右側ページを連結する。折曲部が折れ曲がることで、外装カバーは、左側ページと右側ページが対向する二つ折りの姿勢に変位する。二つの検出装置は、左側ページ及び右側ページの前面の夫々に配置される。二つの検出装置は、近接する電子ペンの位置を検出可能である。二つの接着部は、二つの検出装置の夫々の前面に設けられる。二つの接着部には、夫々、ノートの左表紙と右表紙が剥離可能に接着される。これにより、ノートは外装カバーに装着される。外装カバーが二つ折りの姿勢に変位すると、二つの接着部はノートを挟んで互いに対向する。
【先行技術文献】
【特許文献】
【０００３】
【特許文献１】特開２０１４−２１１７７２号公報
【発明の概要】
【発明が解決しようとする課題】
【０００４】
しかし、上記情報入力装置では、外装カバーが、ノートが装着されていない状態で二つ折りの姿勢に変位すると、二つの接着部が互いに接着する可能性がある。従って、折り畳まれた外装カバーが開けにくくなる可能性がある。
【０００５】
本発明の目的は、記録媒体が装着されていない場合であっても、折り畳まれた外装体が開け易い情報入力装置を提供することである。
【課題を解決するための手段】
【０００６】
本発明の情報入力装置は、一対の表紙と、前記一対の表紙の間に重ねて配置された複数枚の用紙とが、夫々の端部の一部で綴じられた冊子状の記録媒体上で、筆記具によって入力される情報を取得可能な情報入力装置であって、夫々が平面を有する一対の平板部と、前記一対の平板部の夫々の一端部を互いに連結する連結部とを有し、前記一対の平板部が夫々前記連結部を中心に回動することで、二つの前記平面が互いに近接して対向する姿勢である閉姿勢と、前記閉姿勢よりも前記二つの平面が互いに離隔する姿勢である開姿勢とに変位する外装体と、前記二つの平面の一方に設けられた板状体であって、前記一対の表紙の一方が配置される第一配置面が、前記平面と対向する面の反対側に形成され、近接する前記筆記具の位置を検出可能な第一検出装置と、前記二つの平面の他方に設けられた板状体であって、前記一対の表紙の他方が配置される第二配置面が、前記平面と対向する面の反対側に形成され、近接する前記筆記具の位置を検出可能な第二検出装置と、前記第一配置面に設けられ、前記一対の表紙の前記一方が剥離可能に接着される第一接着部と、前記第二配置面のうち、前記外装体が前記閉姿勢に変位した場合に前記第一接着部と対向する領域とは異なる領域に設けられ、前記一対の表紙の前記他方が剥離可能に接着される第二接着部とを備えたことを特徴とする。
【０００７】
上記態様によれば、一対の表紙の一方が第一接着部に接着され、一対の表紙の他方が第二接着部に接着されることで、記録媒体は情報入力装置に装着される。外装体は、開姿勢から閉姿勢に変位することで、折り畳まれる。第二接着部は、外装体が閉姿勢に変位した場合に第一接着部と対向する領域とは異なる領域に設けられる。従って、記録媒体が装着されていない外装体をユーザが折り畳んでも、第一接着部と第二接着部は互いに接着しない。よって、情報入力装置は、記録媒体が装着されていない場合であっても、折り畳まれた外装体を開け易くできる。
【０００８】
本発明において、前記第一配置面及び前記第二配置面のうち、前記外装体が前記閉姿勢に変位した場合において、前記第一接着部及び前記第二接着部の少なくとも一方である特定接着部と対向する所定領域に形成され、前記所定領域と前記特定接着部との接着を制限する制限手段をさらに備えてもよい。情報入力装置は、制限手段を備えるので、記録媒体が装着されていない折り畳まれた外装体を、更に開け易くできる。
【０００９】
本発明において、前記第一接着部及び前記第二接着部の少なくとも一方は、複数であり、前記制限手段は、前記外装体が前記閉姿勢に変位した場合において前記第一接着部及び前記第二接着部の夫々と対向する位置に形成され、前記第一接着部及び前記第二接着部は、前記外装体が前記閉姿勢に変位した場合において前記一対の平板部の夫々と略平行な一方向に沿って交互に並ぶ位置に設けられてもよい。第一接着部及び第二接着部の少なくとも一方が複数であることで、情報入力装置は記録媒体に対する接着力を向上できる。また、第一接着部及び第二接着部は、外装体が閉姿勢に変位した場合において一方向に沿って交互に並ぶ位置に設けられる。従って、第一接着部及び第二接着部は、外装体が閉姿勢に変位しても互いに接着しにくい。よって、情報入力装置は、記録媒体に対する接着力を向上し、且つ、記録媒体が装着されていない場合であっても折り畳まれた外装体を開け易くできる。
【００１０】
本発明において、前記連結部は前記一対の平板部の夫々の前記一端部に沿って延び、前記一方向は、前記連結部の延設方向と略平行であってもよい。第一検出装置及び第二検出装置の少なくとも一方が、連結部に近接する方向又は離隔する方向に位置ズレした場合において、外装体が、記録媒体が装着されていない状態で閉姿勢に変位しても、第一接着部及び第二接着部は互いに接着することはない。よって、情報入力装置は、記録媒体が装着されていない場合であっても、折り畳まれた外装体を更に開け易くできる。
【００１１】
本発明において、前記第一接着部及び前記第二接着部は、前記一方向に沿って隙間を空けて交互に並ぶ位置に設けられてもよい。情報入力装置に装着された一対の表紙のうち、第一接着部又は第二接着部と接触する部位（以下、接着部位という）に対して、第一接着部又は第二接着部から剥離させようとする荷重が記録媒体に作用する場合がある。荷重が作用する位置に応じて、第一接着部及び第二接着部うち、接着部位の剥離を阻止する接着部が異なる。よって、記録媒体は、情報入力装置から脱落しにくくなる。
【００１２】
本発明において、前記一対の平板部のうち前記第一検出装置が設けられる平板部である第一平板部の前記一端部とは反対側の他端部と、前記第一平板部の前記一端部及び前記他端部の間で互いに対向する両端部とに接続する接続部と、前記他端部及び前記両端部の間で、前記第一検出装置の一部を前記第一平板部とは反対側から覆う被覆部とを有するシート材をさらに備え、前記第一接着部は、前記シート材から離隔する位置に設けられてもよい。ユーザが、一対の表紙の一方を被覆部と第一平板部の間に挿入できるので、情報入力装置は記録媒体の脱落を確実に防止できる。第一接着部がシート材から離隔する位置に設けられるので、ユーザは一対の表紙の一方を、被覆部と第一平板部の間に挿入し易い。よって、情報入力装置は、記録媒体を平板部とシート材の間に挿入させる操作性を向上できると共に、記録媒体が外装体から脱落するのを防止できる。
【００１３】
本発明において、前記第一接着部及び前記第二接着部は、夫々、前記連結部に近接する位置に設けられてもよい。記録媒体のうち接着部位と折曲部の間にある部位の剛性は、確保される。外装体が開姿勢から閉姿勢に変位することに伴って、第一検出装置及び第二検出装置が変位すると、接着部位には、第一検出装置及び第二検出装置から荷重を受ける。この場合であっても、記録媒体のうち接着部位と折曲部の間にある部位は、剛性が確保されているので、撓みにくい。よって、情報入力装置は、記録媒体が装着された外装体が閉姿勢に変位する場合であっても、記録媒体を撓みにくくできる。
【００１４】
本発明において、前記制限手段は、前記外装体が前記閉姿勢に変位した場合において前記特定接着部と接触可能な面であって、接触する前記特定接着部の剥離を容易化させる表面処理が施された接触面であってもよい。制限手段が、表面処理が施された接触面であることで、第一検出装置及び第二検出装置のうち制限手段が形成された検出装置は、大型化することが抑制される。
【００１５】
本発明において、前記表面処理はシボ加工であってもよい。表面処理がシボ加工であることで、情報入力装置は低コスト化できる。
【図面の簡単な説明】
【００１６】
【図１】情報入力装置１、ノート５、および電子ペン６の斜視図である。
【図２】ノート５が装着され、開かれた状態の情報入力装置１の斜視図である。
【図３】図２のＡ−Ａ線矢視方向における情報入力装置１の断面図である。
【図４】検出装置２Ｌ，２Ｒの分解斜視図である。
【図５】ノート５が装着されていない情報入力装置１の斜視図である。
【図６】第一変形例に係る情報入力装置１１の斜視図である。
【図７】第二変形例に係る情報入力装置１２の斜視図である。
【発明を実施するための形態】
【００１７】
以下、本発明の一実施の形態である情報入力装置１について、図面を参照して説明する。以下の説明では、図２の上側、下側、左上側、右下側、右上側、左下側を、夫々、情報入力装置１の前側、後側、左側、右側、上側、下側と定義する。情報入力装置１の構成要素である外装カバー４と検出装置２Ｌ，２Ｒの方向は、便宜上、情報入力装置１が組み立てられた状態を基準に、情報入力装置１の方向に倣って定義する。同様に、情報入力装置１に装着するノート５の方向は、便宜上、ノート５が情報入力装置１に装着された状態を基準に、情報入力装置１の方向に倣って定義する。
【００１８】
図１に示す情報入力装置１は、ユーザが携行可能なタブレット型の手書き入力装置である。情報入力装置１は、外装カバー４に、二つの板状の検出装置２Ｌ，２Ｒが組み付けられた状態で提供される。外装カバー４は、左カバー部４Ｌおよび右カバー部４Ｒを含む。検出装置２Ｌは左カバー部４Ｌに配置され、検出装置２Ｒは右カバー部４Ｒに配置される。ユーザは、冊子状の記録媒体、例えばノート５を検出装置２Ｌ，２Ｒに装着し、電子ペン６でノート５に情報を記入する。情報入力装置１は、検出装置２Ｌ，２Ｒを用いて、ノート５に記入された情報を読み取ることができる。電子ペン６は、ノート５にインクで情報（文字、記号、図形、数字等）を記入可能、且つ、記入された情報を検出装置２Ｌ，２Ｒに入力可能な筆記具である。電子ペン６は、内部に、周知の共振（同調）回路を構成する可変容量コンデンサ、コイル等（図示略）を備える。検出装置２Ｌ，２Ｒは、公知の電磁誘導方式で、電子ペン６が近接した時、電子ペン６の位置を検出可能である。
【００１９】
ノート５は、一対の表紙５Ｌ，５Ｒ、および複数の用紙を備える。一対の表紙５Ｌ，５Ｒは、夫々、ノート５の左右の表紙である。複数の用紙は、一対の表紙５Ｌ，５Ｒの間に重ねて配置される。表紙５Ｌ，５Ｒと複数の用紙との夫々の後縁部は綴じられている。一対の表紙５Ｌ，５Ｒと複数の用紙は、夫々、軸線Ｑを中心として回転可能である。軸線Ｑは、表紙５Ｌの右端部と表紙５Ｒの左端部との間を上下方向に延びる。
【００２０】
図１〜図４を参照し、情報入力装置１の構成について説明する。後述するように、情報入力装置１の姿勢は、二つ折りに折り畳まれた姿勢（図示略）と、開かれた姿勢（図２参照）とに変位する。以下では、開かれた姿勢に変位した情報入力装置１の構成を説明する。尚、図１及び図５は、情報入力装置１が開閉される途中の状態を示す。
【００２１】
図１に示すように、情報入力装置１は、外装カバー４および検出装置２Ｌ，２Ｒを備える。外装カバー４は、外力に応じて変形可能な柔軟性を有する素材（例えば合成皮革またはナイロン（nylon））で作製される。即ち、外装カバー４は折り曲げ可能である。折り曲げられていない状態にある外装カバー４は、左右方向に長い矩形状の板状体である。外装カバー４は、左カバー部４Ｌ、右カバー部４Ｒ、および折曲部４Ｃを含む。左カバー部４Ｌおよび右カバー部４Ｒは、夫々、平板状である。左カバー部４Ｌおよび右カバー部４Ｒの前面には、夫々、平面状の支持面１６，１７が形成される。折曲部４Ｃは、左カバー部４Ｌの右端部と右カバー部４Ｒの左端部とに沿って、上下方向に延びる。折曲部４Ｃは、左カバー部４Ｌの右端部および右カバー部４Ｒの左端部を互いに連結する。
【００２２】
折曲部４Ｃは、上下方向に延びる軸線ＡＸに沿って、前面を内側にしてＷ１方向（図２参照）に折れ曲がることができる。軸線ＡＸは、折曲部４Ｃの略中心部を通過する。また、折曲部４Ｃは、軸線ＡＸに沿って、Ｗ１方向とは反対のＷ２方向（図２参照）に折れ曲がることができる。即ち、折曲部４Ｃが折れ曲がることで、左カバー部４Ｌおよび右カバー部４Ｒは、夫々、軸線ＡＸを中心に回動する。これにより、外装カバー４は閉姿勢（図示略）と開姿勢（図２参照）とに変位する。閉姿勢は、支持面１６，１７が互いに近接して対向する外装カバー４の姿勢である。外装カバー４が閉姿勢となることで、情報入力装置１は二つ折りに折り畳まれる。開姿勢は、閉姿勢よりも支持面１６，１７が互いに離隔する外装カバー４の姿勢である。本実施形態における開姿勢は、一例として、支持面１６，１７が略同一平面状に配置される外装カバー４の姿勢である（図２参照）。
【００２３】
図２に示すように、外装カバー４は、左カバー部４Ｌに、保持シート４１を有する。保持シート４１は、例えば透明の軟質塩化ビニールシートである。保持シート４１の左辺、上辺および下辺は、夫々、左カバー部４Ｌの左端部、上端部および下端部に織り込まれている。保持シート４１の右辺は開放されている。左カバー部４Ｌの上端部及び下端部は、左カバー部４Ｌの左端部及び右端部の間で互いに対向する。以下、保持シート４１のうち、左カバー部４Ｌの左端部、上端部、および下端部と接続する部位を接続部４６といい、保持シート４１のうち、接続部４６によって囲まれる部位を被覆部４７という。被覆部４７は、左カバー部４Ｌの左部から離間可能であり、検出装置２Ｌの左部を左カバー部４Ｌとは反対側から覆う。
【００２４】
外装カバー４は、折曲部４Ｃの前面側に、上下方向に延び、折曲部４Ｃを覆う太幅の帯状体４４を備える。帯状体４４は、上下に張られた状態で上下両端が外装カバー４の上下の縁部４５に夫々織り込まれる。帯状体４４は、折曲部４Ｃの前面との間に間隙を有する（図３参照）。後述するが、検出装置２Ｌ，２Ｒを接続するハーネス５０（図３参照）は、帯状体４４と折曲部４Ｃの前面との間に通される。
【００２５】
図２及び図３を参照し、検出装置２Ｌ，２Ｒの構成について説明する。検出装置２Ｌ，２Ｒは、正面視で上下方向に長い板状体である。検出装置２Ｌは支持面１６に配置され、検出装置２Ｒは支持面１７に配置される。検出装置２Ｌの後面は支持面１６と対向し、検出装置２Ｒの後面は支持面１７と対向する。
【００２６】
検出装置２Ｌ，２Ｒの前面には夫々、配置面２０Ｌ，２０Ｒが形成される。言い換えると、配置面２０Ｌは、検出装置２Ｌのうち支持面１６と対向する面とは反対側に形成され、配置面２０Ｒは、検出装置２Ｒのうち支持面１７と対向する面とは反対側に形成される。検出装置２Ｌ，２Ｒは、配置面２０Ｌ，２０Ｒにノート５が固定可能となるように構成される。具体的には、検出装置２Ｌ，２Ｒは、配置面２０Ｌ，２０Ｒに、ノート５の表紙５Ｌ，５Ｒを固定する際の位置決めを担う凹状の位置決め部２３Ｌ，２３Ｒを夫々有する。位置決め部２３Ｌは、上方、左方および下方に段差を有し、右方には段差を有しない。位置決め部２３Ｌの上方、左方および下方の段差は、ノート５の表紙５Ｌの上方、左方および下方の縁部に接触することで、ノート５を検出装置２Ｌに対して位置決めする。以下、検出装置２Ｌの配置面２０Ｌにおいて、位置決め部２３Ｌを構成する凹部の底面の部分を、便宜上、検出面２１Ｌと呼ぶ。検出装置２Ｌは、検出面２１Ｌに近接する電子ペン６の位置を検出する。
【００２７】
位置決め部２３Ｒは、上方、右方および下方に段差を有し、左方には段差を有しない。位置決め部２３Ｒの上方、右方および下方の段差は、ノート５の表紙５Ｒの上方、右方および下方の縁部に接触することで、ノート５を検出装置２Ｒに対して位置決めする。以下、検出装置２Ｒの配置面２０Ｒにおいて、位置決め部２３Ｒを構成する凹部の底面の部分を、便宜上、検出面２１Ｒと呼ぶ。検出装置２Ｒは、検出面２１Ｒに近接する電子ペン６の位置を検出する。
【００２８】
検出装置２Ｌは、二つの接着機構２５Ｌと二つの接触面２９Ｌを備える。二つの接着機構２５Ｌおよび二つの接触面２９Ｌは、検出面２１Ｌの右辺近傍位置に配置され、保持シート４１から離隔する。検出面２１Ｌの右辺近傍位置は、折曲部４Ｃと近接する位置である。接着機構２５Ｌおよび接触面２９Ｌは、折曲部４Ｃの延設方向である上下方向に沿って、所定の隙間を空けて交互に配置される。
【００２９】
検出装置２Ｒは、二つの接着機構２５Ｒと二つの接触面２９Ｒを備える。二つの接着機構２５Ｒおよび二つの接触面２９Ｒは、検出面２１Ｒの左辺近傍位置に配置される。検出面２１Ｒの左辺近傍位置は、折曲部４Ｃと近接する位置である。二つの接着機構２５Ｒと二つの接触面２９Ｒは、折曲部４Ｃの延設方向である上下方向に沿って、所定の隙間を空けて交互に配置される。図３に示すように、接着機構２５Ｒは、外装カバー４が閉姿勢に変位した場合において、接触面２９Ｌと接触可能となる位置に設けられる。言い換えると、接着機構２５Ｒは、検出面２１Ｒのうち、外装カバー４が閉姿勢に変位した場合に接着機構２５Ｌ（図１参照）と対向する領域とは異なる領域に設けられる。接触面２９Ｒ（図１参照）は、外装カバー４が閉姿勢に変位した場合において、接着機構２５Ｌと接触可能な位置に設けられる。
【００３０】
図１及び図２に示す接着機構２５Ｌ，２５Ｒは、夫々、ノート５の表紙５Ｌ，５Ｒが剥離可能に接着されるための機構である。接着機構２５Ｌは、嵌合部２７Ｌ及び接着部２８Ｌを備える。嵌合部２７Ｌは、検出面２１Ｌの一部が凹むことで形成された空間を囲む凹部である。嵌合部２７Ｌは、正面視で上下方向に長い略矩形状である。接着部２８Ｌは、上下方向に長い略直方体状であり、嵌合部２７Ｌに嵌め込まれる。接着部２８Ｌは、嵌合部２７Ｌによって囲まれる空間から、前方に僅かに突出する。接着部２８Ｌは、微粘着性であり、表紙５Ｌが剥離可能に接着される。外装カバー４が、ノート５が装着されていない状態で閉姿勢に変位した場合、接着部２８Ｌは、接触面２９Ｒと接触可能である。
【００３１】
接着機構２５Ｒは、接着機構２５Ｌと同様の構成であり、嵌合部２７Ｒおよび接着部２８Ｒを備える。嵌合部２７Ｒは嵌合部２７Ｌに対応し、接着部２８Ｒは接着部２８Ｌに対応する。外装カバー４が、ノート５が装着されていない状態で閉姿勢に変位した場合、接着部２８Ｒは、接触面２９Ｌと接触可能である。
【００３２】
接触面２９Ｌは、検出面２１Ｌの領域３０Ｌに一体的に形成された面であり、接着機構２５Ｒの接着部２８Ｒと接触可能である。領域３０Ｌは、検出面２１Ｌが含まれる配置面２０Ｌのうち、外装カバー４が閉姿勢に変位した場合において、接着部２８Ｒと対向する矩形状の領域である。接触面２９Ｌは、領域３０Ｌに表面処理が施されることで形成される。表面処理は、接着部２８Ｒと接触面２９Ｌとの剥離を容易化させる処理であり、本実施形態では一例としてシボ加工である。
【００３３】
接触面２９Ｒは、検出面２１Ｒの領域３０Ｒに一体的に形成された面であり、接着機構２５Ｌの接着部２８Ｌと接触可能である。領域３０Ｒは、検出面２１Ｒが含まれる配置面２０Ｒのうち、外装カバー４が閉姿勢に変位した場合において、接着部２８Ｌと対向する矩形状の領域である。接触面２９Ｒは、領域３０Ｒに、接触面２９Ｌと同様の表面処理が施されることで形成される。
【００３４】
図４に示すように、検出装置２Ｒは、前カバー８Ｒおよび後カバー９Ｒを備える。前カバー８Ｒおよび後カバー９Ｒは、上下方向に長い略矩形状の樹脂板である。前述の位置決め部２３Ｒは、前カバー８Ｒの前面に設けられる。後述するデジタイザ基板７Ｒによる電子ペン６の近接位置の検出は、検出面２１Ｒにて行われる。前カバー８Ｒおよび後カバー９Ｒを組み合わせると、内部に収容空間を有する板状体が形成される。
【００３５】
検出装置２Ｒは、前カバー８Ｒおよび後カバー９Ｒの間に、デジタイザ基板７Ｒと、制御基板７１Ｒと、メイン基板１０とを収容する。デジタイザ基板７Ｒは、電子ペン６の近接位置を検出するよう構成される。制御基板７１Ｒは、デジタイザ基板７Ｒに流す電流を制御するよう構成される。メイン基板１０には、情報入力装置１の制御を司るＣＰＵ（図示略）が搭載される。メイン基板１０は、電源スイッチ、発光素子、通信部など、各種スイッチ、コネクタ等の部品（図示略）を備える。これらの部品は、前カバー８Ｒの右上端部に設けられた収容部７９に収容される。メイン基板１０のＣＰＵは、近傍に位置するＰＣ等の外部装置（図示略）と無線や有線による通信が可能である。メイン基板１０は制御基板７１Ｒと電気的に接続する。制御基板７１Ｒは、デジタイザ基板７Ｒ後面の下端部に、デジタイザ基板７Ｒと一体に設けられる。
【００３６】
デジタイザ基板７Ｒは、Ｘ軸方向（具体的には左右方向）およびＹ軸方向（具体的には上下方向）の各々に細長いループコイルが多数配列された基板である。制御基板７１Ｒは、ループコイルの一本ずつに特定周波数の電流（励磁用送信電流）を流して磁界を発生させる。その結果、デジタイザ基板７Ｒに近接する電子ペン６の共振回路は、誘導磁界を生ずる。誘導磁界によってループコイルに電流（信号電流）が流れる。制御基板７１Ｒは、ループコイルに流れる信号電流を検出する。メイン基板１０のＣＰＵは、制御基板７１Ｒが検出した信号電流に基づいて電子ペン６の位置座標を経時的に求める。ＣＰＵは、位置座標に基づいて電子ペン６の軌跡を示すストロークデータを生成する。ＣＰＵは、ストロークデータを、情報入力装置１に接続された外部装置（ＰＣ等）に対して出力する。
【００３７】
検出装置２Ｌは、検出装置２Ｒと同様に、前カバー８Ｌおよび後カバー９Ｌを備える。前カバー８Ｌおよび後カバー９Ｌは、上下方向に長い略矩形状の樹脂板である。前述の位置決め部２３Ｌは、前カバー８Ｌの前面に設けられる。後述するデジタイザ基板７Ｌによる電子ペン６の近接位置の検出は、検出面２１Ｌにて行われる。詳細は図示しないが、前カバー８Ｌの左端部を除く上下両端部は、夫々、後面側に折り返した状態に形成される。後カバー９Ｌは、左端部を除く上下両端部に沿って形成された切欠き部を有する。切欠き部は、検出装置２Ｌの組み立て時に、前カバー８Ｌのうち後面側に折り返された部分に係合する。前カバー８Ｌおよび後カバー９Ｌを組み合わせると、内部に収容空間を有する板状体が形成される。
【００３８】
検出装置２Ｌは、前カバー８Ｌおよび後カバー９Ｌの間に、デジタイザ基板７Ｌと、制御基板７１Ｌとを収容する。デジタイザ基板７Ｌは、電子ペン６の近接位置を検出するよう構成される。制御基板７１Ｌは、デジタイザ基板７Ｌに流す電流を制御するよう構成される。制御基板７１Ｌは、デジタイザ基板７Ｌの後面の下端部に、デジタイザ基板７Ｌと一体に設けられる。デジタイザ基板７Ｌおよび制御基板７１Ｌは、検出装置２Ｒのデジタイザ基板７Ｒおよび制御基板７１Ｒと同様の構成であり、公知の電磁誘導方式により電子ペン６の近接位置を検知することができる。
【００３９】
制御基板７１Ｒと制御基板７１Ｌとは、ハーネス５０によって接続される。ハーネス５０は、制御基板７１Ｒと制御基板７１Ｌとを電気的に接続するためのパターンが形成されたフレキシブル基板である。つまり、ハーネス５０は、複数の導電路が形成された可撓性を有する絶縁フィルムである。
【００４０】
図１、図２を参照し、検出装置２Ｌ，２Ｒにノート５が固定される方法について説明する。ユーザは、保持シート４１の右辺側から表紙５Ｌの左部を、保持シート４１と検出面２１Ｌとの間に挿入させる。さらに、ユーザは、表紙５Ｌの上方、左方、および下方の縁部を夫々、位置決め部２３Ｌの上方、左方、および下方の段差に接触させる。さらに、ユーザは、表紙５Ｒの上方、右方および下方の縁部を夫々、位置決め部２３Ｒの上方、右方、および下方の段差に接触させる。ノート５は、検出装置２Ｌ，２Ｒに対して位置決めされる。ユーザは、ノート５を位置決めした後、表紙５Ｌの右部を二つの接着部２８Ｌに接着させ、表紙５Ｒの左部を二つの接着部２８Ｒに接着させる。これにより、表紙５Ｌは検出装置２Ｌに固定され、表紙５Ｒは検出装置２Ｒに固定される。表紙５Ｌの左部が保持シート４１と検出面２１Ｌとの間に挿入されているので、ノート５は検出装置２Ｌ，２Ｒから脱落しない。尚、ノート５の軸線Ｑは、外装カバー４の軸線ＡＸよりも前方に位置する（図３参照）。
【００４１】
図３を参照し、外装カバー４が開閉される場合におけるノート５の姿勢の変化について説明する。外装カバー４が開姿勢と閉姿勢との間を変位する場合、左カバー部４Ｌ及び右カバー部４Ｒは、夫々、折曲部４Ｃの軸線ＡＸを中心としてＷ１方向又はＷ２方向に回動する。表紙５Ｌ，５Ｒは、夫々、軸線Ｑを中心として回動する。検出装置２Ｌ，２Ｒは、表紙５Ｌ，５Ｒに追従して回動する。これにより、ノート５は開かれた姿勢と閉じられた姿勢との間を変位する。外装カバー４が閉姿勢に変位した場合、二つの接着部２８Ｌは、夫々、ノート５を挟んで二つの接触面２９Ｒと対向する。同様に、二つの接着部２８Ｒは、夫々、ノート５を挟んで二つの接触面２９Ｌと対向する。
【００４２】
以下、表紙５Ｌ，５Ｒのうち、接着部２８Ｌ，２８Ｒと接触する部位を、接着部位という。二つの接着機構２５Ｒ及び二つの接着機構２５Ｌは、夫々、折曲部４Ｃに近接するので、接着部位は折曲部４Ｃに近接する。外装カバー４が開姿勢と閉姿勢との間を変位する場合、接着部位は、軸線Ｑを中心として軌跡Ｔを描く。接着部位の回動中心である軸線Ｑは、左カバー部４Ｌ及び右カバー部４Ｒの回動中心である軸線ＡＸとは異なる。検出装置２Ｌ，２Ｒは、接着部位に追従して回動する。従って、外装カバー４が開姿勢から閉姿勢に変位する場合、検出装置２Ｌは支持面１６と平行且つ軸線Ｑから離間する方向に変位し、検出装置２Ｒは支持面１７と平行且つ軸線Ｑから離間する方向に変位する。検出装置２Ｌ，２Ｒの夫々の変位に伴い、接着部位は、検出装置２Ｌ，２Ｒから反力を受ける。ここで、折曲部４Ｃに近接する接着部位は、外装カバー４の姿勢に関わらず、軸線Ｑに近接する位置にある。従って、ノート５の特定部位は、剛性が確保されている。ノート５の特定部位は、軸線Ｑに沿って見た場合におけるノート５のうち、軸線Ｑと接着部位との間にある部位である。接着部位が検出装置２Ｌ，２Ｒから反力を受ける場合であっても、特定部位は、剛性が確保されているので撓みにくい。
【００４３】
図２を参照し、開姿勢に変位した外装カバー４に装着されたノート５に、接着部２８Ｌ，２８Ｒから剥離させようとする荷重が作用する場合について説明する。接着部２８Ｌ，２８Ｒからノート５を剥離させようとする荷重は、例えば、ユーザがノート５の用紙をめくる場合、ユーザが情報入力装置１を開いた姿勢で持ち運ぶ場合等に発生する。以下の説明では、一例として、表紙５Ｌに対して荷重Ｌが作用した場合と、表紙５Ｒに対して荷重Ｒが作用した場合とについて説明する。荷重Ｌは、表紙５Ｌの下端部のうち折曲部４Ｃ近傍となる部位に作用する荷重であり、前方を向く。荷重Ｒは表紙５Ｒの上端部のうち折曲部４Ｃ近傍となる部位に作用する荷重であり、前方を向く。
【００４４】
表紙５Ｌに対して荷重Ｌが作用した場合、二つの接着部２８Ｌ及び二つの接着部２８Ｒのうち下側にある接着部２８Ｌが、他の接着部２８Ｌ及び二つの接着部２８Ｒよりも、表紙５Ｌの剥離を阻止しようとする。また、表紙５Ｒに対して荷重Ｒが作用した場合、二つの接着部２８Ｌ及び二つの接着部２８Ｒのうち、上側にある接着部２８Ｒが、他の接着部２８Ｒ及び二つの接着部２８Ｌよりも、表紙５Ｒの剥離を阻止しようとする。つまり、二つの接着部２８Ｌ及び二つの接着部２８Ｒが、上下方向に沿って隙間を空けて交互に並ぶ位置に設けられることで、荷重Ｌ，Ｒが作用する位置に応じて、剥離を阻止しようとする接着部が異なる。従って、表紙５Ｌ，５Ｒを接着部２８Ｌ，２８Ｒから剥離させようとする荷重の位置に関わらず、表紙５Ｌ，５Ｒは、接着部２８Ｌ，２８Ｒから剥離しにくい。
【００４５】
図５を参照し、情報入力装置１が、ノート５（図１参照）が装着されていない状態で開閉される動作について説明する。外装カバー４が開姿勢から閉姿勢に変位する場合、左カバー部４Ｌおよび右カバー部４Ｒが、夫々折曲部４Ｃの軸線ＡＸを中心としてＷ１方向に回動し、情報入力装置１は二つ折りに折り畳まれる。この場合、二つの接着部２８Ｌは夫々二つの接触面２９Ｒと接触し、二つの接着部２８Ｒは夫々二つの接触面２９Ｌと接触する。なお、接着部２８Ｒ，２８Ｌは、折曲部４Ｃと平行な上下方向に沿って隙間を空けて配置されているので、互いに接触することはない。
【００４６】
折り畳まれた情報入力装置１が開かれる場合、左カバー部４Ｌおよび右カバー部４Ｒが、夫々折曲部４Ｃの軸線ＡＸを中心としてＷ２方向に回動する。ここで、接触面２９Ｌ，２９Ｒには、接着部との剥離を容易化させる表面処理が施される。従って、左カバー部４Ｌおよび右カバー部４ＲがＷ２方向に回動する場合、接触面２９Ｌは接着部２８Ｒから剥離し易く、接触面２９Ｒは接着部２８Ｌから剥離し易い。言い換えると、接触面２９Ｌは、領域３０Ｌと接着部２８Ｒとの接着を制限する制限手段として機能し、接触面２９Ｒは、領域３０Ｒと接着部２８Ｌとの接着を制限する制限手段として機能する。従って、外装カバー４は閉姿勢から開姿勢に変位し易い。即ち、二つ折りに折り畳まれた情報入力装置１は、開かれ易い。
【００４７】
以上、説明したように、接着機構２５Ｒは、検出面２１Ｒのうち、外装カバー４が閉姿勢に変位した場合に接着機構２５Ｌと対向する領域とは異なる領域に設けられる。従って、外装カバー４が、ノート５が装着されていない状態で閉姿勢に変位しても、接着部２８Ｌ，２８Ｒは互いに接着しない。よって、情報入力装置１は、ノート５が装着されていない場合であっても、折り畳まれた外装カバー４を開け易くできる。
【００４８】
接触面２９Ｌは、領域３０Ｌと接着部２８Ｒとの接着を制限する制限手段として機能し、接触面２９Ｒは、領域３０Ｒと接着部２８Ｌとの接着を制限する制限手段として機能する。よって、情報入力装置１は、ノート５が装着されていない折り畳まれた外装カバー４を、更に開け易くできる。
【００４９】
検出面２１Ｌには二つの接着部２８Ｌが設けられ、検出面２１Ｒには二つの接着部２８Ｒが設けられる。接着部２８Ｌ，２８Ｒが夫々複数設けられることで、情報入力装置１は、表紙５Ｌ，５Ｒに対する接着力を向上できる。また、二つの接着部２８Ｌと二つの２８Ｒは、外装カバー４が閉姿勢に変位した場合において、上下方向に沿って交互に並ぶ位置に設けられる。これにより、接着部２８Ｌ，２８Ｒは、外装カバー４が閉姿勢に変位しても、互いに接着しにくく、折り畳まれた外装カバー４は開け易い。よって、情報入力装置１は、ノート５に対する接着力を向上し、且つ、ノート５が装着されていない場合であっても外装カバー４を開け易くできる。
【００５０】
外装カバー４に装着された検出装置２Ｌ，２Ｒが、折曲部４Ｃに対して近接又は離間する方向に位置ズレした場合、接着部２８Ｌ，２８Ｒも同様に位置ズレする。しかしながら、二つの接着部２８Ｌと二つの２８Ｒの配置位置は、外装カバー４が閉姿勢に変位した場合において、折曲部４Ｃの延設方向と平行な上下方向に沿って交互に並ぶ位置である。従って、折曲部４Ｃに対して近接又は離間する方向に接着部２８Ｌ，２８Ｒが位置ズレした場合において、外装カバー４が、ノート５が装着されていない状態で閉姿勢に変位しても、接着部２８Ｌ，２８Ｒは互いに接着することはない。よって、情報入力装置１は、ノート５が装着されていない場合であっても、折り畳まれた外装カバー４を更に開け易くできる。
【００５１】
二つの接着部２８Ｌ及び二つの接着部２８Ｒが、上下方向に沿って隙間を空けて交互に並ぶ位置に設けられることで、荷重Ｌ，Ｒが作用する位置に応じて、剥離を阻止しようとする接着部が異なる。従って、表紙５Ｌ，５Ｒを接着部２８Ｌ，２８Ｒから剥離させようとする荷重の位置に関わらず、表紙５Ｌ，５Ｒは、接着部２８Ｌ，２８Ｒから剥離しにくい。よって、情報入力装置１は、二つの接着部２８Ｌ及び２つの接着部２８Ｒが夫々互いに近接する位置に密集して設けられる場合に比べて、ノート５を外装カバー４から脱落しにくくできる。
【００５２】
情報入力装置１は、保持シート４１を備える。ユーザが、表紙５Ｌの左部を保持シート４１と検出面２１Ｌとの間に挿入できるので、情報入力装置１は、外装カバー４に装着されたノート５の脱落を防止できる。また、接着部２８Ｌが保持シート４１から離隔するので、ユーザは、表紙５Ｌを接着部２８Ｌに接触させずに、保持シート４１と検出面２１Ｌとの間に挿入し易い。よって、情報入力装置１は、ノート５を外装カバー４に装着させる操作性を向上できると共に、ノート５が外装カバー４から脱落するのを防止できる。
【００５３】
接着部２８Ｒ，２８Ｌは、折曲部４Ｃに近接する位置に設けられる。接着部位は、外装カバー４の姿勢に関わらず、軸線Ｑに近接する位置にある。従って、ノート５の特定部位の剛性は、確保される。よって、外装カバー４が閉じられる場合において、検出装置２Ｌ，２Ｒが軸線Ｑから離間する方向に変位しても、ノート５の特定部位は撓みにくい。よって、情報入力装置１は、ノート５が装着された外装カバー４が閉姿勢に変位する場合であっても、ノート５を撓みにくくできる。
【００５４】
外装カバー４が、ノート５が装着されていない状態で閉姿勢まで変位した場合、二つの接着部２８Ｌは夫々二つの接触面２９Ｒと接触し、二つの接着部２８Ｒは夫々二つの接触面２９Ｌと接触する。接触面２９Ｌ，２９Ｒには夫々、接着部位の剥離を容易化させる表面処理として、シボ加工が施されている。これにより、外装カバー４が閉姿勢から開姿勢に変位する場合、接触面２９Ｌ，２９Ｒは、接着部２８Ｒ，２８Ｌから剥離し易い。さらに、接触面２９Ｌ，２９Ｒは、夫々、検出面２１Ｌ，２１Ｒと略同一平面上に形成されるので、検出装置２Ｌ，２Ｒが、検出面２１Ｌ，２１Ｒと直交する方向（即ち、開姿勢にある外装カバー４における前後方向）に長くなることが抑制される。よって、情報入力装置１は、検出装置２Ｌ，２Ｒが大型化することを抑制しつつ、折り畳まれた外装カバー４を開け易くできる。
【００５５】
接触面２９Ｌ，２９Ｒは、検出面２１Ｌ，２１Ｒの所定領域がシボ加工されることで形成される面である。これにより、情報入力装置１は低コスト化できる。
【００５６】
尚、ノート５は、本発明の「記録媒体」の一例である。左カバー部４Ｌ，右カバー部４Ｒは、本発明の「一対の平板部」の一例である。折曲部４Ｃは、本発明の「連結部」の一例である。左カバー部４Ｌの右端部、右カバー部４Ｒの左端部は、本発明の「一対の平板部の夫々の一端部」の一例である。支持面１６，１７は、本発明の「二つの前記平面」の一例である。外装カバー４は、本発明の「外装体」の一例である。配置面２０Ｌは、本発明の「第一配置面」の一例である。検出装置２Ｌは、本発明の「第一検出装置」の一例である。配置面２０Ｒは、本発明の「第二配置面」の一例である。検出装置２Ｒは、本発明の「第二検出装置」の一例である。接着部２８Ｌは、本発明の「第一接着部」の一例である。接着部２８Ｒは、本発明の「第二接着部」の一例である。接着部２８Ｌ，２８Ｒは、本発明の「特定接着部」の一例である。領域３０Ｌ，３０Ｒは、本発明の「所定領域」の一例である。左カバー部４Ｌは、本発明の「第一平板部」の一例である。保持シート４１は、本発明の「シート材」の一例である。上下方向は、本発明の「一方向」の一例である。
【００５７】
尚、本発明は、上記実施形態に限定されず、種々の変形が可能である。閉姿勢に変位した外装カバー４は、二つ折りに折り畳まれた姿勢になる代わりに、三つ折り又は四つ折り等に折り畳まれた姿勢になってもよい。
【００５８】
検出面２１Ｌ，２１Ｒの夫々には、接触面２９Ｌ，２９Ｒが形成されていなくてもよい。この場合、外装カバー４が閉姿勢に変位した場合、接着部２８Ｌ，２８Ｒは、夫々、シボ加工が施されていない検出面２１Ｒ，２１Ｌと接触する。ここで、接着部２８Ｒは、検出面２１Ｒのうち、外装カバー４が閉姿勢に変位した場合に接着部２８Ｌと対向する領域とは異なる領域に設けられるので、接着部２８Ｌ，２８Ｒは互いに接着することはない。よって、情報入力装置１は、閉姿勢に変位した外装カバー４を開け易くできる。
【００５９】
接触面２９Ｌは、検出面２１Ｌのうち、外装カバー４が閉姿勢に変位した場合に、二つの接着部２８Ｒと対向する二つの領域の何れか一方にのみ形成されていてもよい。また、一つの接触面２９Ｌが、検出面２１Ｌの全面に形成されていてもよい。接触面２９Ｒについても、接触面２９Ｌと同様である。
【００６０】
接着機構２５Ｌは、検出装置２Ｌに二つ設けられる代わりに、一つだけ設けられてもよいし、三つ以上設けられてもよい。接着機構２５Ｒについても、接着機構２５Ｌと同様である。また、接着機構２５Ｌ，２５Ｒは、外装カバー４が閉姿勢に変位した場合において、上下方向に沿って交互に配置されていなくてもよい。例えば、外装カバー４が閉姿勢に変位した場合において、二つの接着機構２５Ｌの下方に、二つの接着機構２５Ｒが配置されてもよい。
【００６１】
接着機構２５Ｌ，２５Ｒは、外装カバー４が変位した場合において、上下方向に沿って並ぶ位置に設けられなくてもよい。また、接着部２８Ｌ，２８Ｒ、接触面２９Ｌ，２９Ｒは、夫々、矩形状でなくてもよい。さらに、接触面２９Ｌ，２９Ｒはシボ加工面でなくてもよい。以下、図６を参照し、情報入力装置１の第一変形例である情報入力装置１１について説明する。情報入力装置１１は、保持シート４１（図１参照）を備えない点と、接着機構２５Ｌ，２５Ｒに代えて接着機構１２５Ｌ，１２５Ｒを備える点と、接触面２９Ｌ，２９Ｒに代えて接触面１２９Ｌ，１２９Ｒを備える点とを除いて、情報入力装置１と同様の構成である。
【００６２】
接着機構１２５Ｌは検出面２１Ｌに一つ設けられ、接着機構１２５Ｒは検出面２１Ｒに二つ設けられる。接触面１２９Ｌは検出面２１Ｌに二つ設けられ、接触面１２９Ｒは検出面２１Ｒに一つ設けられる。外装カバー４が開姿勢に変位した場合において、接触面１２９Ｌおよび接着機構１２５Ｌは、左方から右方へ向けて順に、所定の隙間を空けて交互に配置される。同様に、接着機構１２５Ｒおよび接触面１２９Ｒは、左方から右方へ向けて順に、所定の隙間を空けて交互に配置される。外装カバー４が閉姿勢に変位した場合、接着機構１２５Ｌは接触面１２９Ｒと対向し、接触面１２９Ｌは接着機構１２５Ｒと対向する。
【００６３】
接着機構１２５Ｌは、嵌合部１２７Ｌおよび接着部１２８Ｌを備える。嵌合部１２７Ｌおよび接着部１２８Ｌは、夫々、矩形状である代わりに楕円形状である点を除いて、嵌合部２７Ｌおよび接着部２８Ｌと同様の構成である。接着部１２８Ｌは接触面１２９Ｒと接触可能である。同様に、接着機構１２５Ｒが備える嵌合部１２７Ｒおよび接着部１２８Ｒは、夫々、矩形状である代わりに楕円形状である点を除いて、嵌合部２７Ｒおよび接着部２８Ｒと同様の構成である。接着部１２８Ｒは接触面１２９Ｌと接触可能である。
【００６４】
接触面１２９Ｌは、検出面２１Ｌの領域１３０Ｌに一体的に形成された面であり、接着部１２８Ｒと接触可能である。領域１３０Ｌは、検出面２１Ｌが含まれる配置面２０Ｌのうち、外装カバー４が閉姿勢に変位した場合において、接着部１２８Ｒと対向する楕円形状の領域である。接触面１２９Ｌは、領域１３０Ｌに焼付塗装が施されることで形成される。焼付塗装は、接着部１２８Ｒに対する接触面１２９Ｌの剥離を容易化させる表面処理の一例である。
【００６５】
接触面１２９Ｒは、検出面２１Ｒの領域１３０Ｒに一体的に形成された面であり、接着部１２８Ｌと接触可能である。領域１３０Ｒは、検出面２１Ｒが含まれる配置面２０Ｒのうち、外装カバー４が閉姿勢に変位した場合において、接着部１２８Ｌと対向する楕円形状の領域である。接触面１２９Ｒは、領域１３０Ｒに焼付塗装が施されることで形成される。
【００６６】
外装カバー４が、ノート５が装着されていない状態で閉姿勢に変位した場合、接触面１２９Ｌは接着部１２８Ｒと接触し、接触面１２９Ｒは接着部１２８Ｌと接触する。接触面１２９Ｌ，１２９Ｒは、夫々、焼付塗装が施されている。これにより、外装カバー４が閉姿勢から開姿勢に変位する場合において、接触面１２９Ｌ，１２９Ｒは、接着部１２８Ｒ，１２８Ｌから剥離し易い。よって、情報入力装置１１は、ノート５が装着されていない場合であっても、閉姿勢に変位した外装カバー４を開け易くできる。尚、本変形例において、領域１３０Ｌ，１３０Ｒは、本発明の「所定領域」の一例である。
【００６７】
情報入力装置１は、接触面２９Ｌ，２９Ｒとは別の手段を備えることで、領域３０Ｌと接着部２８Ｒとの接着、及び、領域３０Ｒと接着部２８Ｌとの接着を制限してもよい。以下、図７を参照し、情報入力装置１の第二変形例である情報入力装置１２について説明する。情報入力装置１２は、接触面２９Ｌ，２９Ｒに代えて収容部２２９Ｌ，２２９Ｒを備える点を除いて、情報入力装置１と同様の構成である。
【００６８】
収容部２２９Ｌは、検出面２１Ｌの領域２３０Ｌが凹むことで形成される空間を囲む凹部である。領域２３０Ｌは、検出面２１Ｌが含まれる配置面２０Ｌのうち、外装カバー４が閉姿勢に変位した場合において、接着部２８Ｒと対向する領域である。収容部２２９Ｒは、検出面２１Ｒの領域２３０Ｒが凹むことで形成される空間を囲む凹部である。領域２３０Ｒは、検出面２１Ｒが含まれる配置面２０Ｒのうち、外装カバー４が閉姿勢に変位した場合において、接着部２８Ｌと対向する領域である。収容部２２９Ｌ，２２９Ｒの夫々によって囲まれる空間は、接着部２８Ｌ，２８Ｒのうち嵌合部２７Ｌ，２７Ｒから突出する部位よりも大きい。
【００６９】
外装カバー４が、ノート５が装着されていない状態で開姿勢から閉姿勢に変位すると、収容部２２９Ｌによって囲まれる空間には接着部２８Ｒが収容され、収容部２２９Ｒによって囲まれる空間には接着部２８Ｌが収容される。収容部２２９Ｌと接着部２８Ｒとは互いに接触せず、収容部２２９Ｒと接着部２８Ｌとは互いに接触しない。従って、接着部２８Ｌ，２８Ｒは、夫々、領域２３０Ｌ，２３０Ｒとの接触が制限される。よって、情報入力装置１２は、ノート５が装着されていない場合であっても、折り畳まれた外装カバー４を開け易くできる。尚、本変形例において、収容部２２９Ｌ，２２９Ｒは、本発明の「制限手段」の一例である。領域２３０Ｌ，２３０Ｒは、本発明の「所定領域」の一例である。
【符号の説明】
【００７０】
１，１１，１２      情報入力装置
２Ｌ，２Ｒ          検出装置
４                  外装カバー
４Ｃ                折曲部
４Ｌ                左カバー部
４Ｒ                右カバー部
５                  ノート
５Ｌ，５Ｒ          表紙
６                  電子ペン
１６，１７          支持面
２０Ｌ，２０Ｒ      配置面
２８Ｌ，２８Ｒ      接着部
２９Ｌ，２９Ｒ，１２９Ｌ，１２９Ｒ  接触面
３０Ｌ，３０Ｒ，１３０Ｌ，１３０Ｒ，２３０Ｌ，２３０Ｒ  領域
４１Ｌ              保持シート
４６                接続部
４７                被覆部
２２９Ｌ，２２９Ｒ  収容部
【図１】
2016148994.tif 000003
【図２】
2016148994.tif 000004
【図３】
2016148994.tif 000005
【図４】
2016148994.tif 000006
【図５】
2016148994.tif 000007
【図６】
2016148994.tif 000008
【図７】
2016148994.tif 000009